【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
供給配線デバイスの供給配線（Ｖ）のための撓み軽減器（１；１”）であって、
該撓み軽減器（１；１”）は、少なくとも１つのブロック状の留め付け部品（３；３”）を有する留め付け装置（２；２”）を備え、
前記留め付け部品（３；３”）は、前記留め付け装置（２；２”）のさらなる留め付け面（３１；３１”）に対して前記供給配線（Ｖ）を留め付け方向（ｋ）において所定位置で当てて留め付けるための留め付け面（３１；３１”）として構成される側面（６３）を有し、
前記留め付け方向（ｋ）に対して垂直またはおおよそ垂直の長手方向（ｌ）における前記供給配線（Ｖ）の通過のために設計され、
前記留め付け面（３１）は、前記供給配線（Ｖ）を所定位置で留め付けるように意図される留め付け部分（３３）において少なくとも弾性壁（５０）によって形成され、
前記留め付け面（３１）から遠くの側において、前記弾性壁（５０）は、前記長手方向（ｌ）において、または、おおよそ前記長手方向（ｌ）において、前記留め付け部品（３）を通じて延びる空洞構造（６）を境界付け、
前記空洞構造（６）のいくつかの通路開口（６１）は、さらに内側の弾性壁（５２）を介して互いに隣接する撓み軽減器（１；１”）。
【請求項２】
前記空洞構造（６）は、前記弾性壁（５０）によって少なくとも一部が境界付けられ、前記長手方向（ｌ）に延びる１つまたは複数の通路開口（６１）によって定められる請求項１に記載の撓み軽減器（１）。
【請求項３】
前記弾性壁（５０）または前記弾性壁（５２）の壁厚が、各々の場合で、相互に隣接する前記通路開口（６１）の平均直径の３分の１以下、８分の１以下、または１０分の１以下である請求項１または２のいずれか一項に記載の撓み軽減器（１）。
【請求項４】
前記留め付け面（３１）と関連させられる前記通路開口（６１）は少なくとも一致し、
前記通路開口（６１）は、好ましくは、各々の場合で、直角柱の形を有する請求項１から３のいずれか一項に記載の撓み軽減器（１）。
【請求項５】
前記通路開口（６１）は、おおよそ三角形の基礎領域と頂点（６２）とを伴う直角柱の形を有し、
前記基礎領域の三角形は、通路開口（６１）の１つのグループにおいては、１つの頂部が前記留め付け方向（ｋ）の逆を指す状態で配置され、通路開口（６１）の他のグループにおいては、１つの頂部が前記留め付け方向（ｋ）を指す状態で配置される請求項１から４のいずれか一項に記載の撓み軽減器（１）。
【請求項６】
前記１つのグループの前記通路開口（６１）は、各々の場合で、前記留め付け面（３１）を有する前記弾性壁（５０）によって、前記頂部が前記留め付け方向（ｋ）の逆を指す状態で境界付けられ、
好ましくは、前記長手方向（ｌ）および前記留め付け方向（ｋ）と垂直な方向に関して、前記１つのグループの前記通路開口（６１）は、方向に関して前記他のグループの前記通路開口（６１）と交互に配置される、および／または、相互に並べられる請求項５に記載の撓み軽減器（１）。
【請求項７】
前記通路開口（６１）は、少なくとも２つの総合に平行な列でハニカム状配置となる請求項１から６のいずれか一項に記載の撓み軽減器（１）。
【請求項８】
前記留め付け部品（３）の長さにわたって、前記長手方向（ｌ）および前記留め付け方向（ｋ）に対して垂直に延びる横断補強部（７）が、前記長手方向（ｌ）に関して中央領域に設けられ、
および／または、前記留め付け部品（３）の長さにわたって前記留め付け方向（ｋ）に延びる横断補強部が、前記長手方向（ｌ）および前記留め付け方向（ｋ）に対して垂直な方向に関して、中央領域および／または端領域に設けられる請求項１から７のいずれか一項に記載の撓み軽減器（１）。
【請求項９】
前記留め付け部品（３）は、該留め付け部品（３）の前記１つの留め付け面（３１）から遠くに配置されるさらなる留め付け面（３１）を有し、
前記留め付け部品（３）は、好ましくは、主中心線に対して鏡面対称の構造のものである請求項１から８のいずれか一項に記載の撓み軽減器（１）。
【請求項１０】
同一の構造の少なくとも１つのさらなる留め付け部品（３）が設けられ、
前記２つの留め付け部品（３）は、それらの留め付け面（３１）が互いに反対となる状態で設置位置に配置される請求項１から９のいずれか一項に記載の撓み軽減器（１）。
【請求項１１】
前記空洞構造（６）は、弾性壁（５０；５２）によって境界付けられる、複数の通路開口（６１）であって、特には少なくとも１８個の複数の通路開口（６１）を有し、
該通路開口（６１）は、好ましくは、前記長手方向（ｌ）を横断すると共に前記留め付け方向（ｋ）を横断する横断方向（ｑ）において各々の場合で延びる少なくとも２つの列で配置され、および／または、前記通路開口（６１）の平均直径は、前記留め付け方向（ｋ）における前記留め付け部品の寸法の５０％未満である請求項２から１０のいずれか一項に記載の撓み軽減器（１）。
【請求項１２】
いくつかの留め付け部品が、好ましくは実質的に垂直に延びる留め付け面（３１）での方向でフレームに保持される請求項１から１１のいずれか一項に記載の撓み軽減器（１）を有するエナジーチェーンのための端締め付け部品（９）。
【請求項１３】
前記エナジーチェーンへの連結のために、特には、側方ストラップを伴うチェーンリンクの供給配線デバイスの場合に、２つの側方部品など、連結ポート（９１）を有し、２つの連結側方ストラップ（９２）が前記側方ストラップに適応させられる請求項１２に記載の端締め付け部品（９）。
【請求項１４】
請求項１から１１のいずれか一項に記載の撓み軽減器を有するエナジーチェーン。
【請求項１５】
請求項１から１１のいずれか一項に記載の撓み軽減器のための留め付け部品（３；３００）であって、
該留め付け部品は、弾性プラスチック材料から一体品で製作され、
前記留め付け部品は、留め付け面（３１）に対して垂直またはおおよそ垂直の長手方向（ｌ）における前記少なくとも１つの供給配線の撓み軽減のために、各々が少なくとも１つの供給配線（Ｖ）をさらなる留め付け面（３１；３１”）に対して留め付け方向（ｋ）において所定位置で当てて留め付けるための前記留め付け面（３１）を含む２つの対向する側面（６３）を有し、
少なくとも１つの該側面（６３）であって、好ましくは両方の該側面（６３）は、各々の場合で、前記供給配線（Ｖ）を所定位置で留め付けるように意図される前記留め付け面（３１）の領域において少なくとも該留め付け面（３１）から離れた側において空洞構造（６）を境界付ける第１の弾性壁（５０）を有し、
前記空洞構造は、前記第１の弾性壁（５０）に一体品で連結されるいくつかのさらなる弾性壁（５２）の格子状配置によって形成され、
前記空洞構造（６）は、前記さらなる弾性壁（５２）を介して互いと隣接するいくつかの通路開口（６１）を有する留め付け部品（３；３００）。
【請求項１６】
前記留め付け部品は、前記留め付け方向（ｋ）に対して垂直な主平面に関して鏡面対称の構造のものであり、および／または、主要な寸法にわたって延び、壁（５２）の前記格子状配置に一体品で連結される横断補強部（７）を有する請求項１５に記載の留め付け部品（３；３００）。
【請求項１７】
前記空洞構造（６）は、前記留め付け部品（３）を通じて、前記長手方向（ｌ）において、または、おおよそ前記長手方向（ｌ）において、少なくとも大部分で連続的に、または、完全に連続的に延びる、前記長手方向（ｌ）に延びる複数の通路開口（６１）を有し、
前記空洞構造（６）は、ハニカム状構造のものであり、
前記弾性壁（５０；５２）は、前記長手方向（ｌ）に対して垂直な前記通路開口（６１）を境界付けるセル壁を形成する請求項１５または１６に記載の留め付け部品（３；３００）。
【請求項１８】
前記格子状配置は、対で配置される壁（５２）を備え、
各々の対における対向する壁（５２）は、各々の場合で、好ましくは、前記弾性壁（５０）から離れて点へと先細りになる断面形を有する介在された通路開口（６１）を伴う反対の湾曲を有し、特には、各々の対における前記壁（５２）は、前記留め付け面（３１）から離れた端領域において、一体品で前記横断補強部（７）へと結合する請求項１５から１７のいずれか一項に記載の留め付け部品（３；３００）。
【請求項１９】
前記側面（６３）に対して垂直に位置決めされる前記留め付け部品の２つの対向する細い側面において、各々の場合で、少なくとも１つの突起（３２３）および／または１つの窪み（３２４）が、フレームにおけるぴったりと適合する保持のために設けられ、
前記突起および／または前記窪みは、好ましくは、前記留め付け方向（ｋ）において延びる、または、前記長手方向（ｌ）を横断して延びる請求項１５から１８のいずれか一項に記載の留め付け部品（３；３００）。
【請求項２０】
前記空洞構造（６）は、弾性壁（５０；５２）によって境界付けられる複数の通路開口（６１）であって、特には少なくとも１８個の複数の通路開口（６１）を有し、
該通路開口（６１）は、好ましくは、前記長手方向（ｌ）を横断すると共に前記留め付け方向（ｋ）を横断する横断方向（ｑ）において各々の場合で延びる少なくとも２つの列で配置され、
および／または、前記通路開口（６１）の平均直径は、前記留め付け方向（ｋ）における前記留め付け部品の寸法の５０％未満である請求項１５から１９のいずれか一項に記載の留め付け部品（３；３００）。
【請求項２１】
複数の供給配線を伴う撓み軽減器であって、特にはエナジーチェーンの撓み軽減器における請求項１５から２０のいずれか一項に記載の留め付け部品（３；３００）の使用。
【請求項２２】
プラグイン・コネクタの筐体（４００）であって、特には複数のプラグ挿入体（４０２）を有する矩形プラグイン・コネクタの筐体（４００）における請求項１５から２０のいずれか一項に記載の留め付け部品（３；３００）の使用。
【手続補正２】
【補正対象書類名】明細書
【補正対象項目名】００９３
【補正方法】変更
【補正の内容】
【００９３】
図４ｄおよび図１０による撓み軽減器１の実施形態では、変更された変形挙動が、他の通路開口６１より大きい断面を有する通路開口６１の中央の列が設けられることによって達成され、どちらの通路開口６１も、図４ｄにおける同様のハニカム状の形と同様のものである。図４ｄでは、顕著に厚くされた部分７２が、横断方向ｑに関する強化のために、これらの中央の通路開口６１同士の間にさらに設けられている。